(57)【要約】【課題】従来別々に流通している敷布団と掛け布団と枕とを一式揃えた状態で流通させ、直ちに使用することができるようにして、使用者の利便性の向上を図り、特に、災害時等に寝具一式を迅速かつ容易に提供できるようにすること。【解決手段】本発明では、敷布団（２）と掛け布団（３）と枕（４）を収容袋（５）の内部に圧縮して収容した圧縮寝具（１）において、少なくとも敷布団（２）と掛け布団（３）と枕（４）と収容袋（５）からなり、敷布団（２）の上に掛け布団（３）と枕（４）とを載置した状態で収納袋（５）に密閉状に圧縮収納されて枕（４）が最外周側に位置するようにロール状に巻回された構造とすることにした。【選択図】図１
2018008743.tif 000002
【特許請求の範囲】
【請求項１】
少なくとも敷布団と掛け布団と枕と収容袋からなり、敷布団の上に掛け布団と枕とを載置した状態で収納袋に密閉状に圧縮収納されてロール状に巻回された構造であることを特徴とする圧縮寝具。
【請求項２】
前記枕が最外周側に位置することを特徴とする請求項１に記載の圧縮寝具。
【発明の詳細な説明】
【技術分野】
【０００１】
本発明は、敷布団と掛け布団と枕を収容袋に圧縮して収容した寝具に関するものである。
【背景技術】
【０００２】
一般的に、寝具は、敷布団と掛け布団と枕などを組み合わせて使用される。これら敷布団と掛け布団と枕は、綿やウレタンなどのように内部に空気が含まれることで弾力性や断熱性を保持している。
【０００３】
そのため、寝具は、内部に空気を取り込んだ状態で使用することで使用者に快適感を与えることができる。
【０００４】
その一方で、寝具は、内部に空気を取り込んだ状態では広い収容スペースが必要となる。
【０００５】
そこで、従来においては、寝具を収容袋に圧縮して収容することが考えられている（たとえば、特許文献１参照。）。
【先行技術文献】
【特許文献】
【０００６】
【特許文献１】特開２００９−２９５０１号公報
【発明の概要】
【発明が解決しようとする課題】
【０００７】
敷布団と掛け布団と枕とからなる寝具は、それぞれの製造・販売等の流通ルートを異にするために、敷布団と掛け布団と枕とが一式組み合わされた寝具として流通していないのが現状である。
【０００８】
そのため、寝具を新規に使用するためには、それぞれ別々に購入等して、敷布団と掛け布団と枕を一式揃える必要があり、使用者等にとって不便なものである。特に、災害時等において避難場所で寝具を調達する場合には、非常に労力や時間を要するものである。
【課題を解決するための手段】
【０００９】
そこで、請求項１に係る本発明では、少なくとも敷布団と掛け布団と枕と収容袋からなり、敷布団の上に掛け布団と枕とを載置した状態で収納袋に密閉状に圧縮収納されてロール状に巻回された構造であることを特徴とする圧縮寝具を提供する。
【００１０】
また、請求項２に係る本発明では、前記請求項１に係る本発明において、前記枕が最外周側に位置することを特徴とする圧縮寝具を提供する。
【発明の効果】
【００１１】
そして、本発明では、以下に記載する効果を奏する。
【００１２】
すなわち、本発明では、少なくとも敷布団と掛け布団と枕と収容袋からなる圧縮寝具において、敷布団の上に掛け布団と枕とを載置した状態で収納袋に密閉状に圧縮収納されてロール状に巻回された構造としているために、寝具一式を提供することができ、使用者に利便性を与えることができる。特に災害時等においては、寝具一式を調達するための労力や時間を著しく低減することができる。
【図面の簡単な説明】
【００１３】
【図１】本発明に係る圧縮寝具を示す説明図。
【発明を実施するための形態】
【００１４】
以下に、本発明に係る圧縮寝具の具体的な構成について図面を参照しながら説明する。
【００１５】
図１に示すように、圧縮寝具１は、少なくとも敷布団２と掛け布団３と枕４とからなる寝具を収容袋５に収容したものでる。
【００１６】
ここで、寝具は、敷布団２や掛け布団３や枕４だけに限られず、毛布やシーツやカバーなどが含まれていてもよい。
【００１７】
圧縮寝具１は、敷布団２の上に掛け布団３と枕４と載置した状態で収納袋５に密閉状に圧縮収納されてロール状に巻回された構造となっている。
【００１８】
この圧縮寝具１は、以下に説明するようにして製造することができる。
【００１９】
まず、図１（ａ）に示すように、敷布団２の上に、掛け布団３と枕４とを載置する。その際に、掛け布団３と枕４は、使用時に掛け布団３の上に載置される位置（敷布団２の端部に枕４を載置し、掛け布団３を枕４からずらして敷布団２に載置する。）に載置する。また、敷布団２や掛け布団３や枕４は、使用時と同じように内部に空気を含んだ状態（膨らんだ状態）にする。
【００２０】
次に、図１（ｂ）に示すように、敷布団２と掛け布団３と枕４を透明なビニール製の収容袋５の内部に収容する。
【００２１】
次に、図１（ｃ）に示すように、収容袋５に収容した敷布団２と掛け布団３と枕４を上方から押圧することで圧縮して収容袋５の内部から空気（収容袋５の内部の空気及び敷布団２や掛け布団３や枕４の内部に含まれていた空気）を強制的に排出させる。その後、収容袋５の開口を封止する。
【００２２】
なお、ここでは、始めから袋状の収容袋５を用いているが、これに限られず、敷布団２と掛け布団３と枕４とを上下２枚のシートで挟み、圧縮後に２枚のシートの周囲を封止することで、結果的に収容袋５となるようにしてもよい。
【００２３】
次に、図１（ｄ）に示すように、収容袋５に密閉状に圧縮収容された敷布団２と掛け布団３と枕４とをロール状に巻回する。ここでは、掛け布団３の端部側（枕４とは反対側の端部側）から長手方向に沿って巻回して、枕４が最外周側に位置するようにしている。この方が円滑にロール状に巻回できる。なお、枕４側から巻回してもよく、また、長手方向に限られず短手方向に沿って巻回してもよい。
【００２４】
以上のようにして、図１（ｅ）に示すように、少なくとも敷布団２と掛け布団３と枕４と収容袋５からなり、敷布団２の上に掛け布団３と枕４とを載置した状態で収納袋５に密閉状に圧縮収納されて枕４が最外周側に位置するようにロール状に巻回された構造の圧縮寝具１を製造することがでいる。
【００２５】
以上のようにして製造された圧縮寝具１は、敷布団２と掛け布団３と枕４とが一式揃った状態となっており、これが流通することで、新規に寝具を購入等する者は、敷布団２と掛け布団３と枕４とをそれぞれ別々の店舗等で購入する必要が無く、寝具として必要最小限の敷布団２と掛け布団３と枕４とを一か所で同時に購入することができる。
【００２６】
しかも、圧縮寝具１は、収容袋５を破って内部に空気を取り入れるだけで、敷布団２と掛け布団３と枕４とが膨らんだ状態に戻り、直ちに使用することができる。
【００２７】
また、上記圧縮寝具１は、敷布団２と掛け布団３と枕４とを減容した状態で同時に運搬したり収容することができるので、流通に要するコストや労力などを著しく軽減することができる。
【００２８】
このように、圧縮寝具１は、使用者に利便性を与えることができる。特に、災害時等においては、寝具一式の迅速かつ容易な調達が望まれるところであるが、上記圧縮寝具１であれば、寝具一式を調達するための労力や時間を著しく低減することができる。
【符号の説明】
【００２９】
１  圧縮寝具
２  敷布団
３  掛け布団
４  枕
５  収容袋
【図１】
2018008743.tif 000003